(57)【特許請求の範囲】
【請求項１】
中央部に孔を有する合成樹脂からなる基板と、この基板の表面に形成された集電体と、前記基板の表面に形成された抵抗体と、前記基板に埋設され、前記集電体に接続された金属からなる端子と、前記抵抗体と前記集電体とに摺動する摺動子が取り付けられ、前記基板の前記孔に挿入された軸部を有する回転体とを備え、前記端子には、これと一体に形成された円筒状の軸受け部を有し、この軸受け部は、前記基板の前記孔の内面に露出した状態で設けられ、その先端部が前記集電体及び抵抗体が形成された前記基板の表面側と反対側に向けて突出しており、前記回転体の軸部が、前記集電体及び抵抗体が形成された前記基板の表面側から前記基板の孔に挿入されて、前記軸部が前記軸受け部内に挿入され、前記軸部と前記軸受け部との間で面摺動を行わしめて、前記回転体が回転するようにしたことを特徴とする回転型可変抵抗器。
【請求項２】
前記軸受け部の外周面が前記基板に密着して支持されたことを特徴とする請求項１記載の回転型可変抵抗器。
【請求項３】
前記軸受け部の前記先端部が前記孔の端部から外方に突出したことを特徴とする請求項１、又は２記載の回転型可変抵抗器。
【発明の詳細な説明】
【０００１】
【発明の属する技術分野】
本発明は、種々の電子機器等に使用して好適な回転型可変抵抗器に関する。
【０００２】
【従来の技術】
従来の回転型可変抵抗器を図７、図８に基づいて説明すると、合成樹脂の成型品からなる基板３１は、中央部に設けられた円形の孔３１ａと、外表面に設けられた凸部３１ｂとを有している。
また、複数個の端子３２、３３は金属材からなり、この端子３２、３３は基板３１に埋設されて取り付けられ、一端部は、基板３１の側面部から外方に突出して端子部３２ａ、３３ａが形成され、また、他端部は、基板３１の表面から露出して露出部３２ｂ、３３ｂが形成されている。
【０００３】
また、銀等の良導電材を含むペーストを焼成して得られる集電体３４は、基板３１の表面に形成され、孔３１ａの周囲に円環状に設けられて構成されており、端子３２の露出部３２ｂと接続されている。
また、抵抗体３５は、基板３１の表面に形成され、円環状の集電体３４の外周に設けられた円弧状で構成されている。
また、銀等の良導電材を含むペーストを焼成して得られる二つの引き出し部３６は、基板３１の表面に形成され、一端が抵抗体３５に接続されると共に、他端が端子３３の露出部３３ｂに接続されている。
【０００４】
また、射出成型にて形成された合成樹脂からなる回転体３７は、円筒状をなす軸部３７ａと、この軸部３７ａの中央部に設けられた孔３７ｂを有し、この回転体３７には、金属板からなり、接片３８ａ、３８ｂを有する摺動子３８が固着されている。
そして、回転体３７は、軸部３７ａが基板３１の孔３１ａに挿入されて回転可能に取り付けられ、摺動子３８の一方の接片３８ａは集電体３４に、また、他方の接片３８ｂは抵抗体３５に摺動するようになっている。
【０００５】
また、合成樹脂の成型品からなるカバー３９は、コップ状をなし、摺動子３８、抵抗体３５、及び集電体３４を覆うように、基板３１にスナップ止め等の適宜手段により取り付けられている。
そして、このような構成を有する従来の回転型可変抵抗器は、プリント基板（図示せず）上に、基板３１の凸部３１ｂ、及び端子３２、３３の端子部３２ａ、３３ａを載置して、プリント基板に面実装されて取り付けられるものである。
【０００６】
そして、このような従来の回転型可変抵抗器の操作は、軸部３７ａの孔３７ｂに操作部材（図示せず）を挿入して回転体３７を回転すると、摺動子３８が回転し、接片３８ａは、集電体３４上を摺動し、また、接片３８ｂは、抵抗体３５上を摺動して、端子３２と３３との間で抵抗値の可変を行うようになっている。
また、回転体３７の回転時、合成樹脂からなる軸部３７ａと合成樹脂からなる基板３１との間で摺動して、回転体３７が回転するようになっている。
【０００７】
【発明が解決しようとする課題】
従来の回転型可変抵抗器は、合成樹脂からなる回転体３７の軸部３７ａが合成樹脂からなる基板３１の孔３１ａにガイドされて回転するため、両者が合成樹脂同士で摺動する状態となって、摩耗が早く、長寿命化が図れないばかりか、スムーズな回転ができないという問題がある。
また、合成樹脂からなる孔３１ａをガイドにして軸部３７ａが回転されるが、ヒケ等によって孔３１ａの精度が悪く、このため、回転時、摺動子３８が抵抗体３５上で同じ軌跡を通らず、性能が悪くなるという問題がある。
【０００８】
そこで、本発明は、長寿命で、長期にわたってスムーズな回転ができると共に、性能の良好な回転型可変抵抗器を提供することを目的とする。
【０００９】
【課題を解決するための手段】
上記課題を解決するための第１の解決手段として、中央部に孔を有する合成樹脂からなる基板と、この基板の表面に形成された集電体と、前記基板の表面に形成された抵抗体と、前記基板に埋設され、前記集電体に接続された金属からなる端子と、前記抵抗体と前記集電体とに摺動する摺動子が取り付けられ、前記基板の前記孔に挿入された軸部を有する回転体とを備え、前記端子には、これと一体に形成された円筒状の軸受け部を有し、この軸受け部は、前記基板の前記孔の内面に露出した状態で設けられ、その先端部が前記集電体及び抵抗体が形成された前記基板の表面側と反対側に向けて突出しており、前記回転体の軸部が、前記集電体及び抵抗体が形成された前記基板の表面側から前記基板の孔に挿入されて、前記軸部が前記軸受け部内に挿入され、前記軸部と前記軸受け部との間で面摺動を行わしめて、前記回転体が回転するようにした構成とした。
【００１０】
また、第２の解決手段として、前記軸受け部の外周面が前記基板に密着して支持された構成とした。
また、第３の解決手段として、前記軸受け部の前記先端部が前記孔の端部から外方に突出した構成とした。
【００１１】
【発明の実施の形態】
本発明の回転型可変抵抗器の図面を説明すると、図１は本発明の回転型可変抵抗器の正面図、図２は本発明の回転型可変抵抗器の側面図、図３は図１の３−３線における断面図、図４は本発明の回転型可変抵抗器に係る基板の平面図、図５、図６は本発明の回転型可変抵抗器の製造方法を示す説明図である。
【００１２】
次に、本発明の回転型可変抵抗器の構成を図１〜図４に基づいて説明すると、合成樹脂の成型品からなる基板１は、中央部に設けられた円形の孔１ａと、外表面に設けられた凸部１ｂとを有している。
また、端子２は金属材からなり、この端子２は基板１に埋設されて取り付けられ、一端部は、基板１の側面部から外方に突出して端子部２ａが形成され、また、他端部は、基板１の表面から露出して露出部２ｂが形成されると共に、絞り加工により中央部において端子２と一体に形成された円筒状の軸受け部２ｃが孔１ａの内面に露出して設けられている。
【００１３】
また、この軸受け部２ｃは、その外周面が基板１に密着した状態で、支持されると共に、軸受け部２ｃの内周面が孔１ａ内に露出した状態となり、しかも、軸受け部２ｃの先端部は、集電体４を設けた基板１の表面側と反対側に向かって突出すると共に、先端部が孔１ａの端部から外方に突出している。
複数個の端子３は金属材からなり、この端子３は基板１に埋設されて取り付けられ、一端部は、基板１の側面部から外方に突出して端子部３ａが形成され、また、他端部は、基板１の表面から露出して露出部３ｂが形成されている。
【００１４】
また、銀等の良導電材を含むペーストを焼成して得られる集電体４は、基板１の表面に形成され、孔１ａの周囲に円環状に設けられて構成されており、この円環状の幅Ａの範囲内において、端子２の露出部２ｂと接続されている。
また、抵抗体５は、基板１の表面に形成され、円環状の集電体４の外周に設けられた円弧状で構成され、その両端部５ａは互いに近接した状態で配設されている。
【００１５】
また、銀等の良導電材を含むペーストを焼成して得られる引き出し部６は、基板１の表面に形成され、抵抗体５の外形に沿うように湾曲して形成された湾曲部６ａと、抵抗体５の端部５ａの下部に接続された端部６ｂと、端子３の露出部３ｂにに接続された接続部６ｃとを有している。
そして、孔１ａを挟んで抵抗体５の端部５ａと反対の位置には、第１の端子２の露出部２ｂが形成された状態となっている。
【００１６】
また、合成樹脂からなる回転体７は、円筒状をなした軸部７ａと、軸部７ａの中央部に設けられた孔７ｂを有し、この回転体７には、金属板からなり、接片８ａ、８ｂを有する摺動子８が固着されている。
そして、回転体７は、軸部７ａが基板１の孔１ａに挿入されて回転可能に取り付けられ、摺動子８の一方の接片８ａは集電体４に、また、他方の接片８ｂは抵抗体５に摺動するようになっている。
【００１７】
この時、軸部７ａは、端子２の円筒状の軸受け部２ｃにガイドされて、軸部７ａと軸受け部２ｃとの間で面摺動して、回転体７が回転するようになっている。
そして、接片８ａは、露出部２ｂを除く集電体４上、即ち、摺動軌跡Ｓ１の範囲で摺動し、また、接片８ｂは、抵抗体５上を摺動軌跡Ｓ２の範囲で摺動するようになっている。
【００１８】
また、合成樹脂の成型品からなるカバー９は、コップ状をなし、摺動子８、抵抗体５、及び集電体４を覆うように、基板１にスナップ止め等の適宜手段により取り付けられている。
そして、このような構成を有する本発明の回転型可変抵抗器は、図３に示すように、プリント基板１０上に、基板１の凸部１ｂ、及び端子２、３の端子部２ａ、３ａを載置して、プリント基板１０に面実装されて取り付けられるものである。
この時、円筒状の軸受け部２ｃの先端部がプリント基板１０の孔１０ａ内に突入した状態となっている。
【００１９】
そして、このような本発明の回転型可変抵抗器の操作は、軸部７ａの孔７ｂに操作部材（図示せず）を挿入して回転体７を回転すると、摺動子８が回転し、接片８ａは、集電体４上を摺動軌跡Ｓ１の範囲で摺動し、また、接片８ｂは、抵抗体５上を摺動軌跡Ｓ２の範囲で摺動して、端子２と３との間で抵抗値の可変を行うようになっている。
【００２０】
また、このような本発明の回転型可変抵抗器の製造方法は、図５に示すように、金属板からなるフープ材Ｆを打ち抜きして、端子部２ａと折り曲げ形成された露出部２ｂを有する端子２、及び端子部３ａと折り曲げ形成された露出部３ｂを有する端子３を、フープ材Ｆに連結した状態で形成すると共に、端子２には、絞り加工によって、これと一体に円筒状の軸受け部２ｃを形成する。
【００２１】
次に、図６に示すように、端子部２ａ、３ａを外方に突出させ、露出部２ｂ、３ｂを表面から露出させるように、合成樹脂の基板１の成形により端子２、３を埋設すると共に、軸受け部２ｃは、その外周面が基板１に密着して支持された状態で埋設される。
【００２２】
そして、この端子２のインサート成型は、成型金型（図示せず）によって孔１ａから外方に突出した先端部が保持されると共に、軸受け部２ｃの孔には、成型金型の一部が挿通されて、軸受け部２ｃが位置決めされた状態で、インサート成型されるようになっている。
このため、孔１ａが精度良く形成できるようになっている。
しかる後、集電体４、抵抗体５を基板１の表面に印刷等により形成することによって、本発明の回転型可変抵抗器の製造が行われるものである。
【００２３】
【発明の効果】
本発明の回転型可変抵抗器において、端子２には、これと一体に形成された円筒状の軸受け部２ｃを有し、この軸受け部２ｃは、基板１の孔１ａの内面に露出した状態で設けられ、その先端部が集電体４及び抵抗体５が形成された基板１の表面側と反対側に向けて突出しており、回転体７の軸部７ａが、集電体４及び抵抗体５が形成された基板１の表面側から基板１の孔１ａに挿入されて、回転体７の軸部７ａが軸受け部２ｃ内に挿入され、軸部７ａと軸受け部２ｃとの間で面摺動を行わしめて、回転体７が回転するようにしたため、合成樹脂の軸部７ａと金属の軸受け部２ｃとの間で面摺動し、従って、従来に比して、摩耗が少なくなって、長寿命となると共に、長期にわたってスムーズな回転ができる回転型可変抵抗器を提供できる。
また、金属で軸受け部２ｃを形成しているので、従来に比して、回転中心を精度良く形成できて、回転時、摺動子８が抵抗体５上の同じ軌跡を摺動して、性能の良好な回転型可変抵抗器を提供できる。
また、軸受け部２ｃは、その先端部が集電体４及び抵抗体５が形成された基板１の表面側と反対側に向けて突出したため、軸部７ａの軸受け部２ｃへの挿入時、先端部が軸部７ａにぶつかることが無く、組立性の良好なものが得られる。
【００２４】
また、端子２と一体の軸受け部２ｃが回転体７の回転ガイドとなっているため、部品点数を増やさなくても良い。
また、軸受け部２ｃを設けることによって、その軸受け部２ｃ内に挿入される形成金型によって軸受け部２ｃを正確に位置決めできて、精度の良い孔１ａを形成することができる。
【００２５】
また、軸受け部２ｃの外周面が基板１に密着して支持されたため、軸受け部２ｃの支持が強固となり、回転体８の回転支持の確実なものが得られる。
【００２７】
また、軸受け部２ｃの先端部が孔１ａの端部から外方に突出したため、軸部７ａの支持が安定すると共に、突出した先端部を形成金型で保持できて、孔１ａの精度の良いものが得られる。
【図面の簡単な説明】
【図１】本発明の回転型可変抵抗器の正面図。
【図２】本発明の回転型可変抵抗器の側面図。
【図３】図１の３−３線における断面図。
【図４】本発明の回転型可変抵抗器に係る基板の平面図。
【図５】本発明の回転型可変抵抗器の製造方法を示す説明図。
【図６】本発明の回転型可変抵抗器の製造方法を示す説明図。
【図７】従来の回転型可変抵抗器の要部断面図。
【図８】従来の回転型可変抵抗器に係る基板の平面図。
【符号の説明】
１  基板
１ａ  孔
１ｂ  凸部
２  端子
２ａ  端子部
２ｂ  露出部
２ｃ  軸受け部
３  端子
３ａ  端子部
３ｂ  露出部
４  集電体
５  抵抗体
５ａ  端部
６  引き出し部
６ａ  湾曲部
６ｂ  端部
６ｃ  接続部
７  回転体
７ａ  軸部
７ｂ  孔
８  摺動子
８ａ  接片
８ｂ  接片
９  カバー
１０  プリント基板
１０ａ  孔
Ａ  幅
Ｓ１  摺動軌跡
Ｓ２  摺動軌跡
Ｆ  フープ材
【図１】
0003712931.tif 000002
【図２】
0003712931.tif 000003
【図３】
0003712931.tif 000004
【図４】
0003712931.tif 000005
【図５】
0003712931.tif 000006
【図６】
0003712931.tif 000007
【図７】
0003712931.tif 000008
【図８】
0003712931.tif 000009